(57)【要約】      （修正有）【課題】生ゴミ処理装置において生ゴミの中に大きく硬い骨等が含まれていることがあるが、この骨等の生ゴミが投入されたときその粉砕にかかる負荷の影響による故障を防ぐ。【解決手段】生ゴミを攪拌する攪拌手段の駆動を、生ゴミ投入口に備えられる生ゴミの粉砕手段に伝達する駆動伝達手段を備えた生ゴミ処理装置で、粉砕手段における一対の回転刃軸の一方を駆動伝達手段と係合させ、他方の回転刃軸は一方の回転刃軸に対し接離移動自在にかつ一方の回転刃軸に向けて附勢される。固い生ごみが投入されると、移動自在な回転刃軸は駆動される回転刃軸から離れる。【選択図】  図１
2004209392.tif 000002
【特許請求の範囲】
【請求項１】
収容された生ゴミを生分解または乾燥処理により減少させる処理槽と、この処理槽内の生ゴミを攪拌する攪拌手段と、該攪拌手段を駆動する駆動手段と、この処理槽への生ゴミ投入口に備えられる生ゴミを粉砕する粉砕手段と、前記駆動手段の駆動を前記粉砕手段に伝達する駆動伝達手段とを備えた生ゴミ処理装置において、
前記粉砕手段は、軸上に複数の粉砕刃を備えた一対の回転刃軸を並列にかつその粉砕刃が互いに重なり合うように配置しており、この一対の回転刃軸の少なくとも一つを駆動伝達手段に係合させ、少なくとも一方の回転刃軸を他方の回転刃軸に対し接離移動自在にかつ他方の回転刃軸に向けて附勢させて支持することを特徴とする生ゴミ処理装置。
【請求項２】
前記攪拌の駆動手段は、攪拌ハンドルでありこの攪拌ハンドルを回転させることにより攪拌が行われることを特徴とする請求項１に記載の生ゴミ処理装置。
【請求項３】
収容された生ゴミを生分解または乾燥処理により減少させる処理槽と、この処理槽内の生ゴミを攪拌する攪拌手段と、該攪拌手段を駆動する駆動手段と、この処理槽への生ゴミ投入口に備えられる生ゴミを粉砕する粉砕手段と、前記駆動手段の駆動を前記粉砕手段に伝達する駆動伝達手段とを備えた生ゴミ処理装置において、
前記粉砕手段は、軸上に複数の粉砕刃を備えた一対の回転刃軸を並列にかつその粉砕刃が互いに重なり合うように配置しており、この粉砕手段の回転刃軸または伝達手段のいずれかにトルクリミッターを設けた事を特徴とする生ゴミ処理装置。
【請求項４】
収容された生ゴミを生分解または乾燥処理により減少させる処理槽と、この処理槽内の生ゴミを攪拌する攪拌手段と、該攪拌手段を駆動する駆動手段と、この処理槽への生ゴミ投入口に備えられる生ゴミを粉砕する粉砕手段と、前記駆動手段の駆動を前記粉砕手段に伝達する駆動伝達手段とを備えた生ゴミ処理装置において、
前記粉砕手段は、軸上に粉砕刃を備えた回転刃軸を備え、この回転刃軸を回転させて生ゴミの粉砕を行い、前記粉砕手段または駆動伝達手段のいずれかにエンコーダーを設け、このエンコーダーによる検出結果が異常と判断されたとき前記粉砕手段への駆動を停止させることを特徴とする生ゴミ処理装置。
【請求項５】
前記粉砕手段は、生ゴミ処理装置の生ゴミ投入口より着脱自在にして備えられていることを特徴とする請求項１乃至請求項４のいずれか項に記載の生ゴミ処理装置。
【請求項６】
収容された生ゴミを生分解または乾燥処理により減少させる処理槽と、この処理槽内の生ゴミを攪拌する攪拌手段と、該攪拌手段を駆動する駆動手段とを備えた生ゴミ処理装置の生ゴミ投入口に備えられる粉砕装置であって、
この粉砕装置は前記生ゴミ処理装置の生ゴミ投入口に着脱自在に取り付けられ、その内部に複数の粉砕刃を備えた一対の回転刃軸を並列にかつその粉砕刃が互いに重なり合うように配置し、この一対の回転刃軸の少なくとも一つを駆動し、少なくとも一方の回転刃軸を他方の回転刃軸に対し接離移動自在にかつ一方の回転刃軸に向けて附勢させて支持することを特徴とする生ゴミ処理装置の粉砕装置。
【請求項７】
前記粉砕装置の回転刃軸への駆動は、生ゴミ処理装置の攪拌手段を駆動する駆動装置の駆動を伝達する駆動伝達手段を介して行われることを特徴とする請求項６に記載の生ゴミ処理装置の粉砕装置。
【発明の詳細な説明】
【０００１】
【発明の属する技術分野】
本発明は家庭の台所、業務用調理場に於いて排出される生ゴミを攪拌しながらバイオ菌で分解処理あるいは乾燥処理する生ゴミ処理装置に関し、特に生ゴミを細かく粉砕して処理する生ごみ処理機に関するものである。
【０００２】
【従来の技術】
従来の生ゴミ処理機は、処理槽内の生ゴミを分解バクテリアの活性により分解処理するものあるいは処理槽内の生ゴミを加熱し乾燥処理するものが知られている。このような生ゴミ処理機では、処理すべき生ゴミが毎日発生するため、その分解あるいは乾燥の処理速度を早くすることが求められている。この処理速度を向上する方法として生ゴミ投入口に設けられた粉砕手段により生ゴミを細かく粉砕した後、分解あるいは乾燥処理するものがあった（例えば、特許文献１参照）。
この生ゴミ処理機は、生ゴミ処理槽の投入口に一対の回転刃軸からなる粉砕手段を設け、生ゴミ処理槽の攪拌翼を回転させる駆動源の動力を利用して回転刃軸を回転させ生ゴミを粉砕するものである。
【０００３】
【特許文献１】
特開２００１−１６７５２０号公報（段落番号００２２、００２３、００２４、００２７および図１、図２の回転刃１０参照）
【０００４】
【発明が解決しようとする課題】
しかし、生ゴミの中には大きく硬い骨等の粉砕しにくい生ゴミがあり、これらを粉砕する為には回転刃自体の強度を上げるだけでなく、カバー、枠組み等の強度もあげる必要がある。さらに粉砕時に掛かるトルクを上げる為駆動伝達のギア比を変えてモータの回転数を上げたりあるいはモータのパワーを上げる等の必要があった。これらは全てコストアップに繋がった。
【０００５】
また、大きく硬い生ゴミ等を無理に粉砕しようとして粉砕出来ない場合には、粉砕手段の回転刃の破損あるいは駆動伝達系においてギア折れ等のトラブルが生じてしまう。更に、粉砕手段と生ゴミを処理する攪拌機能とを同じ駆動伝達で行っている場合は生ゴミ処理機全体が動かなくなる問題があった。本発明は粉砕手段の強度や部品点数を増やす等のコストアップを行わずに、大きく硬い骨等の生ゴミが原因による粉砕手段及び生ゴミ処理機本体のトラブルを解消する事が目的である。
【０００６】
【課題を解決するための手段】
本発明の生ゴミ処理装置は、生ゴミを細かく粉砕する粉砕手段を備えた生ゴミ処理装置本体に係る。および生ゴミ処理の生ゴミ投入口において着脱自在な粉砕装置に係る。本発明の生ゴミ処理装置は、収容された生ゴミを生分解または乾燥処理により減少させる処理槽と、この処理槽内の生ゴミを攪拌する攪拌手段と、該攪拌手段を駆動する駆動手段と、この処理槽への生ゴミ投入口に備えられる生ゴミを粉砕する粉砕手段と、前記駆動手段の駆動を前記粉砕手段に伝達する駆動伝達手段とを備えた生ゴミ処理装置において、この一対の回転刃軸の少なくとも一つを駆動伝達手段に係合させ、少なくとも一方の回転刃軸を他方の回転刃軸に対し接離移動自在にかつ他方の回転刃軸に向けて附勢させて支持する。その攪拌の駆動手段は、攪拌ハンドルでありこの攪拌ハンドルを回転させることにより攪拌が行われる。
【０００７】
これによれば、粉砕しにくい太い骨のような生ごみを粉砕する場合に粉砕刃に必要以上の負荷がかかると移動自在な回転刃軸が一方の回転刃軸より離れ粉砕手段および生ゴミ処理装置の駆動系の破損を防ぐ。
【０００８】
本発明の生ゴミ処理装置は、収容された生ゴミを生分解または乾燥処理により減少させる処理槽と、この処理槽内の生ゴミを攪拌する攪拌手段と、該攪拌手段を駆動する駆動手段と、この処理槽への生ゴミ投入口に備えられる生ゴミを粉砕する粉砕手段と、前記駆動手段の駆動を前記粉砕手段に伝達する駆動伝達手段とを備えた生ゴミ処理装置において、前記粉砕手段は、軸上に複数の粉砕刃を備えた一対の回転刃軸を並列にかつその粉砕刃が互いに重なり合うように配置しており、この粉砕手段の回転刃軸または伝達手段のいずれかにトルクリミッターを設ける。
【０００９】
本発明の生ゴミ処理装置は、収容された生ゴミを生分解または乾燥処理により減少させる処理槽と、この処理槽内の生ゴミを攪拌する攪拌手段と、該攪拌手段を駆動する駆動手段と、この処理槽への生ゴミ投入口に備えられる生ゴミを粉砕する粉砕手段と、前記駆動手段の駆動を前記粉砕手段に伝達する駆動伝達手段とを備えた生ゴミ処理装置において、前記粉砕手段は、軸上に粉砕刃を備えた回転刃軸を備え、この回転刃軸を回転させて生ゴミの粉砕を行い、前記粉砕手段または駆動伝達手段のいずれかにエンコーダーを設け、このエンコーダーによる検出結果が異常と判断されたとき前記粉砕手段への駆動を停止させる。
【００１０】
本発明の生ゴミ処理装置の粉砕装置は、収容された生ゴミを生分解または乾燥処理により減少させる処理槽と、この処理槽内の生ゴミを攪拌する攪拌手段と、該攪拌手段を駆動する駆動手段とを備えた生ゴミ処理装置の生ゴミ投入口に備えられる粉砕装置であって、この粉砕装置は前記生ゴミ処理装置の生ゴミ投入口に着脱自在に取り付けられ、その内部に複数の粉砕刃を備えた一対の回転刃軸を並列にかつその粉砕刃が互いに重なり合うように配置し、この一対の回転刃軸の少なくとも一つを駆動し、少なくとも一方の回転刃軸を他方の回転刃軸に対し接離移動自在にかつ一方の回転刃軸に向けて附勢させて支持する。さらに、前記粉砕装置の一方の回転刃軸への駆動は、生ゴミ処理装置の攪拌手段を駆動する駆動装置の駆動を伝達する駆動伝達手段を介して行われる。
【００１１】
これによれば、粉砕しにくい太い骨のような生ごみを粉砕する場合にように粉砕刃に必要以上の負荷がかかると移動自在な回転刃軸が駆動される回転刃軸より離れ粉砕装置の破損を防ぐ。
【００１２】
【発明の実施の形態】
以下に、本発明の実施の形態を、図を参考にして説明する。まず、図１は生ゴミ処理機の攪拌翼と粉砕装置の関係を示す側面図であり、図２および図３は全体の概要を示す斜視図と側断面図、図４は生ゴミ処理機の攪拌翼と粉砕装置の関係を示す斜視図である。
【００１３】
生ゴミ処理装置３３は、内部に生ゴミ処理槽２３を有する本体３４と、本体上面に備えられ前記生ゴミ処理槽２３の生ゴミ投入口２５を開閉する蓋１４からなり、該蓋１４は蓋ノブのフック１３と蓋ロック部２１で本体にロックされる。生ゴミ投入口２５には、その開口部の大部分に塞ぐように後述する生ゴミを細かく粉砕する粉砕装置１が備えられている。この粉砕装置１により投入された生ゴミ２９は細かく粉砕され、続いて細かく粉砕された生ごみ２９ａは、下部の生ごみ処理槽２３に落下し、攪拌翼１２によりバイオ菌が混入された資材３０と共に攪拌されバイオ菌の活動により分解される。
【００１４】
この処理槽の底面にはバイオ菌の活動の効率を上げるため処理槽の温度を一定に保つヒータ３２が備えられている。また生ゴミ処理槽２３で分解された生ごみは資材３０に変化するが、この資材３０は、生ゴミ２９の連続投入により次第に量が増えてくると攪拌翼１２の回転に伴い余分な分が資材落下口１７に掻き出され、資材取出しオケ１６に集められる。この資材３０は肥料として利用できる。なお、２４は排気口である。
【００１５】
攪拌軸４１には、４枚の攪拌翼１２が取付けられている。攪拌ハンドル１１を回転すると攪拌ハンドル軸部のハンドルギア１０と攪拌軸４１に固設された連結ギア９とを介して攪拌翼１２が回転する。この回転によって、生ゴミ処理槽２３内の生ゴミ２９ａと資材３０が攪拌され、新しく投入された生ごみの表面にくまなくバイオ菌が付着し分解速度が向上する。
【００１６】
攪拌ハンドル１１を図１で示す矢印方向（右回転）に回転させると攪拌ハンドル軸部のハンドルギア１０より、連結ギア８ａ・連結ギア８ｂ・連結ギア８ｃを介して、粉砕装置１の連結ギア８ｄに駆動が伝達される。
【００１７】
粉砕装置１は、内部に回転刃軸３４ａと回転刃軸３４ｂを並列に設けており、この回転刃軸３４ａと回転刃軸３４ｂ上には夫々複数の粉砕刃２が互いに重なる様に配置されている。図中回転刃軸３４ａが右回転、回転刃軸３４ｂが左回転すると生ゴミを粉砕刃の間に引き込み粉砕することができる。
【００１８】
前記連結ギア８ｄは粉砕装置１の回転刃軸３４ａ上に固設されており、前記攪拌ハンドル１１の回転に伴い連結ギア８ｄを介して回転刃軸３４ａが回転すると、同軸に固設された粉砕連結ギア７ａが回転し、粉砕連結ギア６ａ・粉砕連結ギア６ｂを介し回転刃軸３４ｂに固設された粉砕連結ギア７ｂが回転する。この回転により、回転刃軸３４ａ上にある複数の粉砕刃２と回転刃軸３４ｂ上にある複数の粉砕刃２が互いに噛み合う様に回転し粉砕前の生ゴミ２９を粉砕し下部の生ゴミ処理槽２３へ生ゴミ２９ａを落下させる。
【００１９】
また粉砕装置１の片側の回転刃軸３４ｂは、コ字状の粉砕支持板金４に軸支されており、この粉砕支持板金４は支持軸５にて粉砕装置の枠体に回動自在に軸支されている。この粉砕支持板金４の回転刃軸３４ｂからみて支持軸５の反対側には荷重３ｋｇの加圧スプリング３が３個引掛けられており、粉砕支持板金４は図１において右回転方向に附勢され、図示しないストッパーにこの回動を係止されることで図１に示すように回転刃軸３４ｂが回転刃軸３４ａに対向する。なお、図６は粉砕支持基板４が回動した状態を示している。なお前述する回転刃軸３４ｂが回転刃軸３４ａに対向した位置では記粉砕連結ギア７ｂと粉砕連結ギア６ｂが噛み合い駆動が伝達される。
【００２０】
なお、前記加圧スプリング３による荷重は、スペアリブ等の大型の骨が粉砕装置に投げ込まれた場合を考慮して求められたもので、魚の骨程度の粉砕にかかる負荷であれば十分耐えるものである。また、回転刃軸３４ａと回転刃軸３４ｂの回転速度は、本実施の形態では回転刃軸３４ａが早くなるように粉砕連結ギア６ａや粉砕連結ギア６ｂの歯数を決めているが等速および逆関係になるようにしても良い。
【００２１】
粉砕装置１は図６よび図７に示す様に生ゴミ処理機本体３３より取り外せるようになっている。粉体装置１には、生ゴミ処理装置３３の引掛け孔３９と係合する引掛け爪３８が備えられ、生ゴミ処理装置３３には粉砕装置１の係合凹部と係合する一対の粉砕装置ロックレバー１８が備えられており、この粉砕装置ロックレバー１８を回転すると本体との係止状態が解除されるので２箇所の把手２２を持って持ち上げると本体から簡単に取り外す事が出来る。これで粉砕装置１の粉砕刃２や回転刃軸３４ａ３４ｂおよび粉砕カバー３５に付いた汚れを水洗い等で除去する事が出来る。
【００２２】
また、生ゴミ処理機本体３３への粉砕装置１の取付け方法は、粉砕装置１の引掛け爪３８を生ゴミ処理装置本体３３の引掛け孔３９に位置合わせをし（これによって連結ギア８ｃと粉砕装置１の連結ギア８ｄが噛み合う）、粉砕装置ロックレバー１８を取出し時とは逆方向に停止するまで回して終了する。
【００２３】
蓋１４にはインターロックレバー１９が設けられている。このインターロックレバー１９は粉砕装置１の上面に開けられたインターロック孔２０に入り込みインターロック解除板金３６を押すようになっている。インターロック解除板金３６のアーム部（不図示）には前述の連結駆動ギア８ｃが軸支されており、蓋１４が開けられインターロックレバー１９が抜けると、インターロック解除板金３６が移動し連結駆動ギア８ｃと連結駆動ギア８ｄとの連結状態を解除するようになっている。したがって、蓋１４を閉じた状態では、攪拌ハンドル１１からの駆動を粉砕装置１に伝達し、蓋を開けた状態では粉砕装置１は稼動できないようになっている。
【００２４】
次に、生ごみ処理装置本体３３に生ゴミを投下し粉砕を行う場合を説明する。利用者が生ごみ処理装置本体３３の蓋１４を開けて生ごみ投入口２５に生ごみ２８を投入して蓋１４を閉めると、インターロックレバー１９がインターロック解除板金３６を押し、連結駆動ギア８ｃが連結駆動ギア８ｄと接触し、粉砕装置１は稼動可能となる。
【００２５】
続いて攪拌ハンドル１１を回転すると、連結駆動ギアを介して、粉砕装置１の回転刃軸３４ａが回転し、さらに粉砕連結ギアを介して回転刃軸３４ｂが回転する。この回転に伴い生ゴミ２９ａは、回転刃軸３４ａと回転刃軸３４ｂの間に搬送され、粉砕刃２によって細かく粉砕され生ゴミ処理槽２３の中に落下する。
【００２６】
ここで、大きく硬い骨等の生ゴミが回転刃軸３４ａと回転刃軸３４ｂの間に搬送されると、粉砕刃２の回転に対し抵抗となり、粉砕刃２部分への圧力が加圧スプリング３の圧力（今回の実施例では９ｋｇ以上）を超えることがある。この場合、粉砕支持板金４は支持軸５を中心に図中左回転方向に回転し、その結果、回転刃軸３４ｂが回転刃軸３４ａから離れ、生ゴミを滞留させることなく生ゴミ処理槽２３の中に落下する。
【００２７】
さらに攪拌ハンドル１１を回転する事で攪拌翼１２が回転され、生ゴミ処理槽２３の中で資材３０と共に攪拌される。
【００２８】
なお、本実施の形態は、記載される内容に限定されものではなく、ここでは攪拌ハンドルを手で回して攪拌および粉砕手段に駆動を伝達する手動タイプで説明しているが、駆動源をモータにした自動タイプの生ゴミ処理装置でもよい、また、粉砕処理装置１での加圧スプリング３は荷重３ｋｇを３本使用しているがゴミ２８の用途に応じて変更してもよく、さらに駆動伝達手段はギアの代わりにベルト等で連結してもよい。
【００２９】
また、粉砕装置または駆動伝達系のいずれか、例えば前述の実施の形態における連結ギア８ａ、８ｂ、８ｃ、８ｄや粉砕連結ギア７ａ、７ｂ、６ａ、６ｂ等にトルクリミッターを設け、粉砕出来ない大きく硬い骨等の生ゴミが滞留した場合、粉砕装置または駆動伝達系の駆動系を空回転させてもよい。
【００３０】
また、攪拌翼１２の回転を、攪拌ハンドルの替わりにモータ等の駆動源によって行う場合、粉砕装置１あるいは連結駆動ギア８ａ、８ｂ、８ｃ、８ｄ等の駆動伝達の軸部にエンコーダー（不図示）を設け、このエンコーダーの検知結果に基づいて、駆動源の駆動を制御する制御手段（制御部ＣＰＵと制御プログラム等を記憶するＲＯＭやＲＡＭ等の記憶手段）を設けても良く、エンコーダーによる検出結果のタイミングが、記憶手段（ＲＯＭ）に記憶されている正常駆動時のタイミングより遅れた場合に粉砕装置１に粉砕出来ない大きく硬い骨等の生ゴミが滞留したと判断し駆動源を停止させるか、粉砕装置１への駆動伝達を断ち切るようにしても良い。
【００３１】
【発明の効果】
本発明によれば、大きく硬い骨等の生ゴミが生ゴミ処理装置本体の粉砕装置投入された場合、その生ゴミの粉砕に掛かる負荷が所定以上となるとこの粉砕装置の動作を停止するので粉砕手段および生ゴミ処理装置の駆動系の破損を防ぐことが出来る。
【図面の簡単な説明】
【図１】本発明の生ゴミ処理機の攪拌ハンドルと粉砕装置の関係を示す斜視図。
【図２】生ゴミ処理機の全体の概要を示す斜視図。
【図３】生ゴミ処理機の全体の概要を示す側断面図。
【図４】図１において粉砕装置のカバーがある状態での斜視図。
【図５】斜視図生ゴミ処理機の粉砕刃に圧力が加わった時の状態図。
【図６】生ゴミ処理機より粉砕装置を取り外したときの斜視図。
【図７】粉砕装置を下方から見た図。
【符号の説明】
１  粉砕装置
２  粉砕刃
３  加圧スプリング
４  粉砕支持板金
５  粉砕支持軸
６ａ、６ｂ  粉砕連結ギア
７ａ、７ｂ  粉砕ギア
８ａ、８ｂ、８ｃ、８ｄ  連結駆動ギア
９  攪拌ギア
１０  攪拌ハンドルギア
１１  攪拌ハンドル
１２  攪拌羽
１４  蓋
１８  粉砕装置ロックレバー
１９  インターロックレバー
２０  インターロック孔
２３  生ゴミ処理槽
２５  生ゴミ投入口
２９  生ゴミ
２９ａ  処理された生ゴミ
３０  資材
３２  ヒータ
３３  生ゴミ処理機装置本体
３４ａ  回転刃軸
３４ｂ  回転刃軸
４１  攪拌羽軸
【図１】
2004209392.tif 000003
【図２】
2004209392.tif 000004
【図３】
2004209392.tif 000005
【図４】
2004209392.tif 000006
【図５】
2004209392.tif 000007
【図６】
2004209392.tif 000008
【図７】
2004209392.tif 000009